(57)【要約】【課題】楽曲データの内容を確認しながら所望の楽曲データを選択して記憶部の容量不足の解消作業の手間を軽減すること。【解決手段】複数の楽曲データを記憶する記憶部と、再生されている楽曲データを選択する操作部と、記憶部に記憶されている各楽曲データを一部分だけ再生させ、当該再生中に操作部により選択指示が入力された又は選択指示が入力されていない楽曲データのいずれか一方に該当する楽曲データのデータ量を縮小又は楽曲データを消去し、当該縮小した楽曲データを記憶部に記憶する制御部１０と、を備えるオーディオ装置。【選択図】図３
2009277337.tif 000002
【特許請求の範囲】
【請求項１】
複数の楽曲データを記憶する記憶手段と、
前記楽曲データを再生する再生手段と、
前記再生手段により再生されている楽曲データを選択する選択手段と、
前記記憶手段に記憶されている各楽曲データを一部分だけ前記再生手段により再生させ、当該再生中に前記選択手段により選択指示が入力された又は選択指示が入力されていない楽曲データのいずれか一方に該当する楽曲データのデータ量を縮小又は楽曲データを消去し、当該縮小した楽曲データを前記記憶手段に記憶する制御手段と、
を備えるオーディオ装置。
【請求項２】
前記制御手段は、
前記楽曲データのデータ量を縮小する際、当該楽曲データのビットレートよりも小さいビットレートに変換する、
請求項１に記載のオーディオ装置。
【請求項３】
前記制御手段は、
前記楽曲データのデータ量を縮小する際、当該楽曲データのビットレートに応じて予め設定された値のビットレートに変換する、
請求項１又は２に記載のオーディオ装置。
【請求項４】
前記制御手段は、
前記楽曲データを消去する際、当該楽曲データのビットレートに応じて当該楽曲データを消去する、
請求項１から３のいずれか一項に記載のオーディオ装置。
【請求項５】
前記再生手段により再生される前記楽曲データのビットレートの範囲の指示を入力するビットレート範囲指定手段を備え、
前記制御手段は、
前記ビットレート範囲指定手段により指定されたビットレートの範囲内の楽曲データを前記再生手段に一部分ずつ再生させる、
請求項２から４のいずれか一項に記載のオーディオ装置。
【請求項６】
複数の楽曲データを記憶する記憶手段に記憶されている各楽曲データを一部分だけ再生手段により再生させる工程と、
当該再生中に選択指示が入力された又は選択指示が入力されていない楽曲データのいずれか一方に該当する楽曲データのデータ量を縮小又は楽曲データを消去する工程と、
当該縮小した楽曲データを前記記憶手段に記憶する工程と、
を含むオーディオ装置におけるデータ記憶方法。
【請求項７】
コンピュータを、
複数の楽曲データを記憶する記憶手段に記憶されている各楽曲データを一部分だけ再生
手段により再生させ、当該再生中に選択手段により選択指示が入力された又は選択指示が
入力されていない楽曲データのいずれか一方に該当する楽曲データのデータ量を縮小又は
楽曲データを消去し、当該縮小した楽曲データを前記記憶手段に記憶する制御手段、
として機能させるためのプログラム。
【請求項８】
前記制御手段は、
前記楽曲データのデータ量を縮小する際、当該楽曲データがステレオ音声である場合は、モノラル音声に変換する、
請求項１に記載のオーディオ装置。
【請求項９】
前記制御手段は、
前記楽曲データのデータ量を縮小する際、当該楽曲データがステレオ音声である場合は、該ステレオ音声における左右いずれかの音声を削除してモノラル音声とする、
請求項８に記載のオーディオ装置。
【請求項１０】
前記制御手段は、
前記楽曲データのデータ量を縮小する際、当該楽曲データの一部を削除する、
請求項１に記載のオーディオ装置。
【請求項１１】
前記制御手段は、
前記楽曲データの後部を削除する、
請求項１０に記載のオーディオ装置。
【請求項１２】
前記制御手段は、
前記楽曲データの後部所定時間分を削除する、
請求項１０に記載のオーディオ装置。
【発明の詳細な説明】
【技術分野】
【０００１】
本発明は、オーディオ装置、データ記憶方法及びプログラムに関する。
【背景技術】
【０００２】
近年、複数の楽曲データを記憶する記憶部（メモリ）を備え、当該記録部に記憶されている楽曲データを再生するオーディオ装置がある。このオーディオ装置に新たな楽曲データを記憶させる際、楽曲データを記憶させるに足る容量が記憶部内に不足している場合には、記憶部内に記憶されている楽曲データのうち不要な楽曲データを消去して空き容量を確保しなくてはならない。
【０００３】
このとき、確実に不要な楽曲データを選び出すためには、ユーザが記憶部に記憶されている楽曲データを一つずつ実際に再生して視聴して判別する必要がある。そのため、楽曲データ毎に再生操作、試聴、停止操作、消去操作等を繰り返さなくてはならず、ユーザによって煩雑な作業であった。
【０００４】
この楽曲データの選択時の作業負担を軽減する技術として、各曲のイントロ部分を逐次再生し、或るイントロ部分の再生途中で１曲ダビングキーが押圧されると、当該或る曲の先頭から当該曲の最後までを再生させると共に、当該曲を新規のトラックとして記録媒体に記録するオーディオシステムが開示されている（特許文献１参照）。
【先行技術文献】
【特許文献】
【０００５】
【特許文献１】特開２００１−２４３７５３号公報
【発明の概要】
【発明が解決しようとする課題】
【０００６】
しかしながら、上述したような従来の技術は、楽曲データの取得時（録音時）の作業負担軽減を実現するものではあるが、楽曲データを記録させる際の記憶部の容量確保の作業を軽減するものではない。また、従来は、空き容量を確保するために楽曲データを消去してしまうため、後に消去してしまった楽曲データを再生することはできず、必要となったときには、再度、新たに楽曲データを取得しなくてはならないという問題がある。
【０００７】
本発明の課題は、上記問題に鑑みて、楽曲データの内容を確認しながら所望の楽曲データを選択して記憶部の容量不足の解消作業の手間を軽減することである。
【課題を解決するための手段】
【０００８】
請求項１に記載の発明は、複数の楽曲データを記憶する記憶手段と、前記楽曲データを再生する再生手段と、前記再生手段により再生されている楽曲データを選択する選択手段と、前記記憶手段に記憶されている各楽曲データを一部分だけ前記再生手段により再生させ、当該再生中に前記選択手段により選択指示が入力された又は選択指示が入力されていない楽曲データのいずれか一方に該当する楽曲データのデータ量を縮小又は楽曲データを消去し、当該縮小した楽曲データを前記記憶手段に記憶する制御手段と、を備えるオーディオ装置であることを特徴としている。
【０００９】
請求項２に記載の発明は、請求項１に記載のオーディオ装置において、前記制御手段は、前記楽曲データのデータ量を縮小する際、当該楽曲データのビットレートよりも小さいビットレートに変換することを特徴としている。
【００１０】
請求項３に記載の発明は、請求項１又は２に記載のオーディオ装置において、前記制御手段は、前記楽曲データのデータ量を縮小する際、当該楽曲データのビットレートに応じて予め設定された値のビットレートに変換することを特徴としている。
【００１１】
請求項４に記載の発明は、請求項１から３のいずれか一項に記載のオーディオ装置において、前記制御手段は、前記楽曲データを消去する際、当該楽曲データのビットレートに応じて当該楽曲データを消去することを特徴としている。
【００１２】
請求項５に記載の発明は、請求項２から４のいずれか一項に記載のオーディオ装置において、前記再生手段により再生される前記楽曲データのビットレートの範囲の指示を入力するビットレート範囲指定手段を備え、前記制御手段は、前記ビットレート範囲指定手段により指定されたビットレートの範囲内の楽曲データを前記再生手段に一部分ずつ再生させることを特徴としている。
【００１３】
請求項６に記載の発明は、複数の楽曲データを記憶する記憶手段に記憶されている各楽曲データを一部分だけ再生手段により再生させる工程と、当該再生中に選択指示が入力された又は選択指示が入力されていない楽曲データのいずれか一方に該当する楽曲データのデータ量を縮小又は楽曲データを消去する工程と、当該縮小した楽曲データを前記記憶手段に記憶する工程と、を含むオーディオ装置におけるデータ記憶方法であることを特徴としている。
【００１４】
請求項７に記載の発明は、コンピュータを、複数の楽曲データを記憶する記憶手段に記憶されている各楽曲データを一部分だけ再生手段により再生させ、当該再生中に選択手段により選択指示が入力された又は選択指示が入力されていない楽曲データのいずれか一方に該当する楽曲データのデータ量を縮小又は楽曲データを消去し、当該縮小した楽曲データを前記記憶手段に記憶する制御手段、として機能させるためのプログラムであることを特徴としている。
【００１５】
請求項８に記載の発明は、請求項１に記載のオーディオ装置において、前記制御手段は、前記楽曲データのデータ量を縮小する際、当該楽曲データがステレオ音声である場合は、モノラル音声に変換することを特徴としている。
【００１６】
請求項９に記載の発明は、請求項８に記載のオーディオ装置において、前記制御手段は、前記楽曲データのデータ量を縮小する際、当該楽曲データがステレオ音声である場合は、該ステレオ音声における左右いずれかの音声を削除してモノラル音声とすることを特徴としている。
【００１７】
請求項１０に記載の発明は、請求項１に記載のオーディオ装置において、前記制御手段は、前記楽曲データのデータ量を縮小する際、当該楽曲データの一部を削除することを特徴としている。
【００１８】
請求項１１に記載の発明は、請求項１０に記載のオーディオ装置において、前記制御手段は、前記楽曲データの後部を削除することを特徴としている。
【００１９】
請求項１２に記載の発明は、請求項１０に記載のオーディオ装置において、前記制御手段は、前記楽曲データの後部所定時間分を削除することを特徴としている。
【発明の効果】
【００２０】
本発明によれば、楽曲データの内容を確認しながら所望の楽曲データを選択して記憶部の容量不足の解消作業の手間を軽減することができる。
【図面の簡単な説明】
【００２１】
【図１】オーディオ装置のブロック構成図である。
【図２】縮小前後の楽曲データのビットレートの例を示す図である。
【図３】データ記憶処理のフローチャートである。
【図４】楽曲データをステレオ音声からモノラル音声に変換する縮小テーブルの例を示した図である。
【図５】楽曲データの後部を楽曲データの長さが略２分の１となるように削除する例を示した図である。
【図６】楽曲データの後部を所定時間削除する例を示した図である。
【発明を実施するための形態】
【００２２】
以下、図を参照して本発明の実施の形態を詳細に説明する。
まず、構成を説明する。
図１に、本実施の形態におけるオーディオ装置１のブロック構成図を示す。
【００２３】
図１に示すように、オーディオ装置１は、制御部１０、記憶部１１、表示部１２、操作部１３、ＡＵＸ（Auxiliary）端子１４、チューナー部１５、ＣＤ（Compact Disk）メカ部１６、セレクタ１７、ＡＤＣ１８、ＤＳＰ（Digital Signal Processor）１９、ＤＡＣ（Digital Analog Converter）２０、増幅部２１、出力部２２等を備えて構成されている。
【００２４】
制御部１０は、ＣＰＵ（Central Processing Unit）、ＲＯＭ（Read Only Memory）１０ａ及びＲＡＭ（Random Access Memory）１０ｂを備え、ＲＯＭ１０ａ等から各種処理プログラムや各種データを読み出してＲＡＭ１０ｂに展開し、当該プログラムとの協働によりオーディオ装置１内の各部を集中的に制御し、また各種演算を行う。
【００２５】
また、本実施の形態における制御部１０は、操作部１３により指定された記憶部１１に記憶されている各楽曲データをＤＳＰ１９により一部分だけ再生（イントロ再生処理）させ、当該再生中の楽曲データに対して選択指示（マーク付け操作）の操作信号が入力された場合、当該マーク付け操作がなされたことを示す処理マーク（例えば、フラグ等）を当該楽曲データに付与し、処理マークが付与された楽曲データ又は処理マークが付与されていない楽曲データのいずれか一方に該当する楽曲データのデータ量を縮小処理対象とし、当該縮小処理対象である楽曲データのデータ量を、現在のデータ量よりも小さいデータ量に圧縮等により縮小又は消去し、当該縮小した楽曲データを記憶部１１に記憶するデータ記憶処理を実行する制御手段として機能する。
【００２６】
制御部１０は、楽曲データのデータ量を縮小又は消去する際、ＲＯＭ１０ａに記憶されている縮小テーブルに基づいて、縮小処理対象となる当該楽曲データのビットレートに応じて予め設定された値に縮小又は消去する。
【００２７】
図２（ａ）、（ｂ）に、縮小テーブルの例を示す。
図２（ａ）に示す縮小テーブルは、縮小前の楽曲データの各ビットレート（縮小前）に対して、当該縮小前の楽曲データのビットレートに応じて予め設定された値のビットレート（縮小後）が設定されている。
【００２８】
図２（ａ）に示す縮小テーブルの例は、各ビットレートに応じた値のビットレートに楽曲データを変換することができる。例えば、ビットレートが３２０ｋｂｐｓ以上の楽曲データが縮小処理対象となる場合、３２０ｋｂｐｓのビットレートに変換されることを示し、そして、ビットレートが３２０ｋｂｐｓの楽曲データが縮小処理対象となる場合、２５６ｋｂｐｓのビットレートに変換され、縮小処理対象となる度に段階的に小さなビットレートへ変換される。また、最小のビットレート（例えば、３２ｋｂｐｓ）の楽曲データが縮小処理対象となる場合、即ち、これ以上圧縮できない場合またはこれ以上ビットレートを小さくすることに意味を持たないビットレートである場合には楽曲データが消去されることを示している。
【００２９】
図２（ｂ）に示す縮小テーブルは、複数の楽曲データのビットレートに対して、同一のデータ量が設定されている。
【００３０】
図２（ｂ）に示す縮小テーブルの例は、複数の楽曲データのビットレートを同一のビットレートに変換することができる。例えば、１２８ｋｂｐｓ以上のビットレートの楽曲データが縮小処理対象となる場合、６４ｋｂｐｓに変換され、１２８ｋｂｐｓ未満のビットレートの楽曲データが縮小処理対象となる場合には楽曲データが消去されることを示している。
楽曲データを消去するか否かの閾値として、１２８ｋｂｐｓを例示しているが、これに限らない。
【００３１】
なお、本実施の形態においては、操作指示（マーク付け操作）を縮小処理対象の楽曲データを示す指示とし、処理マークが付与された楽曲データのデータ量を縮小する処理として説明するが、操作指示を縮小処理対象から除外する楽曲データを示す指示とする場合には、処理マークが付与されていない楽曲データのデータ量を縮小する。
【００３２】
記憶部１１は、ＨＤＤ（Hard Disk Drive）等の大容量の不揮発メモリや、外部メモリ
（メモリカード、ＵＳＢメモリ、外付けＨＤＤ等）であり、オーディオ装置１が再生可能な楽曲データが、ＭＰ３（MPEG-1 Audio Layer-3）やＷＭＡ（Windows Media(登録商標) Audio）などの圧縮ファイル等の形式で記憶する記憶手段として機能する。
【００３３】
表示部１２は、制御部１０からの表示信号に応じて、オーディオ装置１の動作モード情報、プレイリスト情報、楽曲データの楽曲情報等の各種情報を表示する。
【００３４】
操作部１３は、各種操作キーを備え、オーディオ装置１のユーザによる操作キーの操作に応じた操作信号を制御部１０へ出力する。
特に、本実施の形態における操作部１３は、ＤＳＰ１９によりイントロ再生処理の実行対象となる楽曲データの指定として、イントロ再生処理される楽曲データのビットレートの範囲の指示を入力するビットレート範囲指定手段と、ＤＳＰ１９によりイントロ再生処理されている楽曲データを選択するマーク付け操作の操作信号を入力する選択手段、としての機能を実現する。
【００３５】
ＡＵＸ端子１４は、図示しない外部機器を接続する入力端子であり、接続された外部機器からの音声信号をセレクタに入力する。
【００３６】
チューナー部１５は、図示しないアンテナを介して受信したラジオ等のキャリア放送電波を音声信号としてセレクタに入力する回路である。
【００３７】
ＣＤメカ部１６は、ＣＤドライブ等の装置であり、ＣＤに記録された楽曲データを読み取り、セレクタ１７又はＤＳＰ１９へ出力する。
【００３８】
セレクタ１７は、オーディオ装置１が再生等する楽曲データの種類（ソース）の選択を行う回路である。制御部１０から入力された制御信号に応じてソースの選択が切り替えられる。
【００３９】
ＡＤＣ１８は、入力されたアナログ信号をデジタル信号に変換して出力するＡ／Ｄ変換回路である。
【００４０】
ＤＳＰ１９は、デジタル信号処理用のマイクロプロセッサであり、エンコーダ１９ａ及びデコーダ１９ｂを備える。エンコーダ１９ａは、ＣＤメカ部１６又はＡＤＣ１８から入力された楽曲データをエンコードしてＭＰ３方式やＷＭＡの圧縮ファイルを記憶部１１に出力する。デコーダ１９ｂは、記憶部１１からの圧縮ファイルをデコードして再生処理を行い、楽曲データをＤＡＣ２０に出力する。
さらにＤＳＰ１９は、制御部１０からの指示に応じて縮小処理対象となった楽曲データの縮小処理を行う。具体的には、縮小処理対象となった楽曲データのビットレートを変えた再エンコード、部分削除した楽曲データの再エンコードなどを行う。
【００４１】
ＤＡＣ２０は、ＤＳＰ１９から入力される楽曲データをアナログ信号に変換して出力するＤ／Ａ変換回路である。
【００４２】
増幅部２１は、ＤＡＣ２０から入力されるアナログ信号を増幅して出力部２２に出力する回路である。
【００４３】
出力部２２は、スピーカやヘッドホン、外部出力端子等、増幅部２１から入力されるアナログ信号を外部に出力する装置である。
【００４４】
次に、本実施の形態の動作を説明する。
図３に、本実施の形態におけるデータ記憶処理のフローチャートを示す。
図３に示すデータ記憶処理は、例えば、記憶部１１の記憶容量が予め設定された容量以下になった場合や、記憶部１１の記憶容量の空き容量を拡大させる指示がある場合に実行される処理である。
【００４５】
制御部１０は、操作部１３からイントロ再生処理の実行により再生される楽曲データの指定の操作指示、例えば、楽曲データのビットレートの範囲の操作指示が入力されると、当該操作指示に従って、イントロ再生処理対象となる楽曲データをＤＳＰ１９により記憶部１１から読み出させ、イントロ再生処理の実行を開始させる（ステップＳ１）。
【００４６】
イントロ再生処理により再生される楽曲データの指定の操作指示として、楽曲データのビットレートの範囲（例えば、３２〜９６ｋｂｐｓ）の操作指示が入力された場合には、記憶部１１から操作指示された範囲（３２〜９６ｋｂｐｓ）のビットレートの楽曲データがイントロ再生処理対象となる楽曲データとして読み出されることとなる。また、これに限らず、楽曲データのジャンル名やアーティスト名、アルバム名、所定のフォルダ名、記憶部１１に記憶されている全楽曲データ、ユーザが任意に指定した楽曲データのいずれかを操作指示とし、当該操作指示に応じた楽曲データを記憶部１１から読み出してイントロ再生処理を実行してもよい。
【００４７】
ステップＳ１において実行されるイントロ再生処理とは、指定された各楽曲データの一部分を順次再生させる処理であり、例えば、各楽曲データの開始から予め設定された時間（イントロ再生時間）が経過するまで再生させたり、楽曲データの開始から所定の時間が経過した時点から予め設定された時間（イントロ再生時間）を再生させたりする処理である。
【００４８】
制御部１０は、再生中の楽曲データに対して操作部１３からマーク付け操作の操作信号が入力されたか否かを判別する（ステップＳ２）。このマーク付け操作は、ユーザがイントロ再生処理により再生中の楽曲データを聴きながら操作部１４を操作して、音質が低下してもよい楽曲データや、再生頻度が低い（聴く頻度が低い）楽曲データである楽曲データに印を付ける操作である。
【００４９】
制御部１０は、マーク付け操作の操作信号の入力がない場合（ステップＳ２；Ｎｏ）、再生中の楽曲データのイントロ再生時間が経過したか否かを判別し（ステップＳ３）、イントロ再生時間が経過していない場合（ステップＳ３；Ｎｏ）、ステップＳ２に戻る。
【００５０】
制御部１０は、再生中の楽曲データに対して操作部１３からマーク付け操作の操作信号が入力された場合（ステップＳ２；Ｙｅｓ）、楽曲データのファイルに処理マーク（例えば、フラグ）を付与する（ステップＳ４）。
【００５１】
制御部１０は、指定された全楽曲データのイントロ再生処理が終了したか否かを判別し（ステップＳ５）、指定された全楽曲データのイントロ再生処理が終了していない場合、即ち、未再生の楽曲データがある場合（ステップＳ５；Ｎｏ）、未再生の楽曲データ、即ち、次に指定された楽曲データのイントロ再生処理を開始し（ステップＳ６）ステップＳ２に戻る。
【００５２】
制御部１０は、指定された全楽曲データのイントロ再生処理が終了した場合（ステップＳ５；Ｙｅｓ）、処理マークが付与された楽曲データがあるか否かを判別し（ステップＳ７）、処理マークが付与された楽曲データがない場合（ステップＳ７；Ｎｏ）、本処理を終了する。
【００５３】
制御部１０は、処理マークが付与された楽曲データがある場合（ステップＳ７；Ｙｅｓ）、処理マークが付与された各楽曲データに対して縮小処理の実行を開始する（ステップＳ８）。
【００５４】
制御部１０は、処理マークが付与された楽曲データが縮小可能か否かを判別する（ステップＳ９）。縮小可能か否かの判別としては、例えば、縮小テーブルを参照して、処理マークが付与された楽曲データのビットレートが消去対象のビットレートか否かの判別である。
【００５５】
制御部１０は、処理マークが付与された楽曲データが縮小可能である場合、例えば、ビットレートが消去対象でないビットレートである場合（ステップＳ９；Ｙｅｓ）、当該楽曲データのビットレートに応じて予め設定されたビットレートに変換して縮小し、縮小した当該楽曲データを記憶部１１に記憶する（ステップＳ１０）。
【００５６】
制御部１０は、処理マークが付与された楽曲データが縮小可能でない場合、例えば、ビットレートが消去対象のビットレートである場合（ステップＳ９；Ｎｏ）、当該楽曲データを記憶部１１から消去する（ステップＳ１１）。
【００５７】
制御部１０は、ステップＳ１０又はＳ１１後、処理マークが付与された全楽曲データの縮小処理が終了したか否かを判別し（ステップＳ１２）、処理マークが付与された全楽曲データの縮小処理が終了していない場合、即ち、未縮小処理の楽曲データがある場合（ステップＳ１２；Ｎｏ）、未縮小処理の楽曲データ、即ち、次の楽曲データの縮小処理を開始し（ステップＳ１３）ステップＳ９に戻る。
【００５８】
制御部１０は、処理マークが付与された全楽曲データの縮小処理が終了した場合（ステップＳ１２；Ｙｅｓ）、本処理を終了する。
【００５９】
以上のように、本実施形態によれば、記憶部に記憶されている各楽曲データを一部分だけ再生させ（イントロ再生処理を実行）、当該イントロ再生中にマーク付け操作がされた楽曲データのビットレートをさらに小さいビットレートに変換して縮小又は消去し、縮小した楽曲データを記憶部に記憶することができるため、楽曲データの内容を確認しながら所望の楽曲データを選択して記憶部の容量不足の解消作業の手間を軽減することができる。
【００６０】
また、操作部１３により、ユーザがイントロ再生処理する楽曲データの指定、例えば、イントロ再生処理される楽曲データのビットレートの範囲の指示に応じた楽曲データ、ジャンル名、アーティスト名、アルバム名等に応じた楽曲データ、ユーザが任意に指定した楽曲データ、をイントロ再生処理するため、予め縮小処理対象の楽曲データを限定することができ、誤って必要な楽曲データが縮小又は消去されることを防止できる。
【００６１】
楽曲データのデータ量を縮小又は消去する縮小処理として、当該楽曲データのビットレートよりもさらに小さいビットレートに変換する例を用いて説明したが、縮小処理は以下の方法を用いてもよい。
【００６２】
縮小処理の他の例として、ステレオ音声の楽曲データをモノラル音声に変換する処理を用いてもよい。この場合、制御部１０は、ステップＳ９において、処理マークが付与された楽曲データがステレオ音声である場合に縮小可能と判断する。そして、制御部１０は、ステップＳ１０において、縮小可能と判断した楽曲データ（ステレオ音声の楽曲データ）に対して、ステレオ音声をモノラル音声に変換して記録し、変換した当該楽曲データを記憶部１１に記憶する。また、制御部１０は、ステップＳ９において、処理マークが付与された楽曲データがモノラル音声である場合に縮小可能でないと判断する。そして、制御部１０は、ステップＳ１１において、縮小可能でないと判断した楽曲データ（モノラル音声の楽曲データ）を記憶部１１から消去する。
【００６３】
図４(ａ)及び図４（ｂ）に、楽曲データをステレオ音声からモノラル音声に変換する縮小テーブルの例を示す。
ステレオ音声からモノラル音声への変換処理としては、図４(ａ)に示すように、ステレオ音声のＲｃｈ（右チャンネル）及びＬｃｈ（左チャンネル）とを合成したモノラル音声に変換する、もしくは図４（ｂ）に示すように、ステレオ音声のＲｃｈ又はＬｃｈのいずれか一方の音声に変換する、としてもよい。
【００６４】
また、縮小処理の他の例としては、楽曲データの後部を削除する処理を用いてもよい。
図５に、縮小処理の対象となった楽曲データの後部を楽曲データの長さが略２分の１となるように削除する例を示す。この場合、制御部１０は、ステップＳ９において、処理マークが付与された楽曲データの長さが所定時間（例えば１分）よりも長い場合に縮小可能と判断する。そして、制御部１０は、ステップＳ１０において、縮小可能と判断した楽曲データに対して、当該楽曲データの後部を楽曲データの長さが略２分の１となるように削除し、略２分の１に削除した当該楽曲データを記憶部１１に記憶する。また、制御部１０は、ステップＳ９において、処理マークが付与された楽曲データの長さが所定時間（例えば１分）以内である場合に縮小可能でないと判断する。そして、制御部１０は、ステップＳ１１において、縮小可能でないと判断した楽曲データを記憶部１１から消去する。
【００６５】
図５に示すように、例えば、楽曲データの長さが４分２０秒程度の楽曲データに処理マークが付与されて縮小処理の対象となった場合、当該楽曲データは、当該楽曲データの最後から約２分１０秒の後部が削除され、削除されずに残った約２分１０秒の部分が楽曲データとして記憶部１１に記憶される。この約２分１０秒となった楽曲データが再度縮小処理の対象となった場合には、当該楽曲データの最後から約１分５秒の後部が削除され、約１分５秒の楽曲データとして記憶される。そして、楽曲データの長さが所定時間以内（例えば１分以内）の楽曲データがさらに縮小処理の対象となった場合は、当該楽曲データは消去される。
【００６６】
図６に、縮小処理の対象となった楽曲データの後部を所定時間削除する例を示す。この場合、制御部１０は、ステップＳ９において、処理マークが付与された楽曲データの長さが所定時間（例えば１分）よりも長い場合に縮小可能と判断する。そして、制御部１０は、ステップＳ１０において、縮小可能と判断した楽曲データに対して、当該楽曲データの後部を楽曲データの最後から所定時間の部分を削除し、削除されずに残った部分の楽曲データを記憶部１１に記憶する。また、制御部１０は、ステップＳ９において、処理マークが付与された楽曲データの長さが所定時間（例えば１分）以内である場合に縮小可能でないと判断する。そして、制御部１０は、ステップＳ１１において、縮小可能でないと判断した楽曲データを記憶部１１から消去する。
【００６７】
図６に示すように、例えば楽曲データの長さが４分２０秒程度の楽曲データに処理マークが付与されて縮小処理の対象となった場合、当該楽曲データは、当該楽曲データの最後から約１分の後部が削除され、削除されずに残った約３分２０秒の部分が楽曲データとして記憶部１１に記憶される。この約３分２０秒となった楽曲データが再度縮小処理の対象となった場合には、当該楽曲データの最後から約１分の部分が削除され、削除されずに残った約２分２０秒の部分が楽曲データとして記憶される。そして、楽曲データの長さが所定時間以内（例えば１分以内）の楽曲データがさらに縮小処理の対象となった場合は、当該楽曲データは消去される。
【００６８】
なお、本発明は、上記実施形態に限らず、適宜変更可能であるのは勿論であり、縮小処理は上記実施形態の組み合わせでもよい。
また、本実施の形態態のオーディオ装置として、例えば、ポータブルオーディオ装置、据え置き型のオーディオ装置であっても良く、楽曲データを記憶及び再生可能な携帯電話であってもよい。
【符号の説明】
【００６９】
１  オーディオ装置
１０  制御部
１０ａ  ＲＯＭ
１０ｂ  ＲＡＭ
１１  記憶部
１２  表示部
１３  操作部
１４  ＡＵＸ端子
１５  チューナー部
１６  ＣＤメカ部
１７  セレクタ
１８  ＡＤＣ
１９  ＤＳＰ
１９ａ  エンコーダ
１９ｂ  デコーダ
２０  ＤＡＣ
２１  増幅部
２２  出力部
【図１】
2009277337.tif 000003
【図２】
2009277337.tif 000004
【図３】
2009277337.tif 000005
【図４】
2009277337.tif 000006
【図５】
2009277337.tif 000007
【図６】
2009277337.tif 000008